(57)【要約】【課題】奇数頁、偶数頁又はこれらが混在する頁数の冊子を効率よく作成でき、ランダム製本も可能な冊子作成方法とする。【解決手段】横２列かつ縦多数列の単位用紙を形成した一次用紙１を中央縦切取線から２分割して二次用紙８とし、上下に重ね合せるとともに先端を縦方向にシフトし、二次用紙を単位用紙の上下のものが順次に前進するように送り出し、進行方向最先端に位置する単位用紙毎に前方張力を与え、横切取線から順次に切断して送り出し、糊引後に単位用紙を順次に重合させて設定枚数毎に接着して冊子４０を形成する。【選択図】  図１
2006321148.tif 000002
【特許請求の範囲】
【請求項１】
帯状紙材にミシン目状の横切取線及び中央縦切取線を施して前記帯状紙材に横２列かつ縦多数列の単位用紙を形成した一次用紙を、前記中央縦切取線から２分割して二次用紙とする中央切断工程と、２分割された前記二次用紙を上下に重ね合せるとともに当該二次用紙の先端位置を縦方向に一定距離シフトして、前記各単位用紙の位置が前後にずれる状態とするシフト工程と、前記二次用紙を前記単位用紙の上下のものが順次に前進するように送り出す順送り工程と、順送りされる前記各二次用紙の進行方向最先端に位置する単位用紙毎に前方張力を与え、当該単位用紙を前記横切取線から順次に切断して送り出す横切断工程と、前記単位用紙の所定位置に設定枚数毎に糊引をする糊引工程と、糊引された前記単位用紙を順次に重合させて設定枚数毎に接着することにより冊子を形成する冊子形成工程と、を備えることを特徴とする冊子作成方法。
【請求項２】
帯状紙材にミシン目状の横切取線、中央縦切取線及び両側縦切取線を施して前記帯状紙材に横２列かつ縦多数列の単位用紙と両縁マージナルとを形成した一次用紙を、前記中央縦切取線から２分割して二次用紙とする中央切断工程と、２分割された前記各二次用紙を上下に重ね合せるとともに当該二次用紙の先端位置を縦方向に一定距離シフトし、前記各単位用紙の位置が前後にずれる状態として、前記各二次用紙をピントラクタにセットするシフト工程と、前記ピントラクタの回転により前記二次用紙を前記単位用紙の上下のものが順次に前進するように送り出す順送り工程と、前記二次用紙から前記マージナルを切断除去するマージナル除去工程と、前記マージナルが除去されて順送りされる前記二次用紙の進行方向最先端に位置する単位用紙毎に高速送り機構により前方張力を与え、当該単位用紙を前記横切取線から順次に切断して送り出す横切断工程と、切断により独立した前記各単位用紙を当該単位用紙毎にさらに高速送りを与えて前後の各単位用紙間に一定の間隔を設定する間隔設定工程と、前記単位用紙の所定位置に設定枚数毎に糊引をする糊引工程と、糊引された前記単位用紙を順次に重合させて設定枚数毎に接着することにより冊子を形成する冊子形成工程と、を備えることを特徴とする冊子作成方法。
【請求項３】
前記単位用紙に個性表示を施しておき、前記工程群の中から選定した１又は２以上の位置で前記個性表示を光学的観察手段により観察して、前記単位用紙の送り順位の監視、前記単位用紙の糊引設定、及び作成される冊子の頁丁合の少なくともいずれか１の監視を行う請求項１又は２記載の冊子作成方法。
【請求項４】
帯状紙材にミシン目状の横切取線、中央縦切取線及び両側縦切取線を施して前記帯状紙材に横２列かつ縦多数列の単位用紙と両縁マージナルとを形成した一次用紙を連続的に繰出しながら、用紙分割、重合、マージナル除去、糊引及び、接着を行って冊子を連続的に作成する冊子作成装置であって、
前記中央縦切取線から２分割した前記二次用紙を上下に重ね合せるとともに当該二次用紙の先端位置を縦方向に一定距離シフトして前記各単位用紙の位置が前後にずれる状態で前記各二次用紙をシフトセットし得るとともに前記二次用紙を前記単位用紙の上下のものが順次に前進するように順送りするピントラクタ式の順送り機構と、前記二次用紙から前記マージナルを切断除去するマージナル除去機構と、前記マージナルが除去されて順送りされる前記二次用紙の進行方向最先端に位置する単位用紙毎に前方張力を与え、当該単位用紙を前記横切取線から順次に切断して送り出す横切断機構と、切断により独立した前記各単位用紙を当該単位用紙毎にさらに高速送りを与えて前後の各単位用紙間に一定の間隔を設定する間隔設定機構と、前記単位用紙の所定位置に設定枚数毎に糊引をする糊引機構と、糊引された前記単位用紙を順次に重合させて設定枚数毎の接着複数頁の冊子にする冊子形成機構とを備えることを特徴とする冊子作成装置。
【請求項５】
前記一次用紙における特定の、又は全ての単位用紙のいずれかの部位に施された個性表示と、前記順送り機構乃至前記糊引機構の前段又は後段における少なくともいずれかの部位に設けられ、前記個性表示を読取る光学的観察機構３３と、この光学的観察機構３３からの情報に基づいて前記冊子の製本状態を監視する監視手段とを備えた請求項４記載の冊子作成装置。
【請求項６】
前記間隔設定機構の後段に、不要な単位用紙を排出する用紙排出機構を備えた請求項４記載の冊子作成装置。
【発明の詳細な説明】
【技術分野】
【０００１】
発明は、単位用紙を左右並列に連結した帯状紙材から冊子を連続的に作成する冊子作成方法及び冊子作成装置に係り、特に奇数頁、偶数頁又はこれらが混在する頁数の冊子を作成できるとともに、ランダム製本も可能な冊子作成方法及び冊子作成装置に関するものである。
【背景技術】
【０００２】
例えば納税通知書、クーポン券等の帳票等は、所定枚数の単位用紙が接着された冊子として構成されている。このような冊子については近年、単位用紙が順次に連結された帯状帳票用紙の切断及び接着により連続的に作成することが行われている（例えば、特許文献１参照）。
【０００３】
また、帯状紙材にミシン目状の横切取線、中央縦切取線及び両側縦切取線を施して帯状紙材に横２列かつ縦多数列の単位用紙と両縁マージナルとを形成した一次用紙を、中央縦切取線から２分割して二次用紙とし、この二次用紙を連続的に繰出しながら、用紙分割、重合、マージナル除去、糊引及び、接着を行って冊子を連続的に作成することも提案されている（例えば、特許文献１参照）。
【０００４】
但し、従来技術おいては、一般的に、重合した単位用紙毎に糊付けし、常に２枚の単位用紙を１セットとして送るようにしており、偶数頁の冊子を作成することが開示されている。即ち、従来技術として、奇数頁の冊子を作成することができる技術は開示されていない。また、奇数頁の冊子作成とともに、ランダム製本を可能とする冊子作成方法及び冊子作成装置も開示されていない。
【特許文献１】特開平１１−２４５５３８号公報
【特許文献２】特許第２９４８７８１号公報
【発明の開示】
【発明が解決しようとする課題】
【０００５】
納税通知書、クーポン券その他各種の帳票等においては、偶数頁の冊子だけではなく、奇数頁の冊子として構成される場合もある。従来奇数頁の冊子を連続的に作成する場合には、偶数枚の単位用紙をもつ一次用紙で偶数頁の冊子を作り、余分な頁を除去する等の対策しか考えられていない。
【０００６】
そのため、用紙破棄等により経済性が低下したり、あるいは余分な工程が生じて冊子作成上の能率が低下する等の問題を生じている。
【０００７】
また、上述した従来の技術では、例えば１冊目が３枚綴り、２冊目が５枚綴りというような頁数の異なる冊子を連続的に作成するランダム製本をすることができない。即ち、従来では枚数が異なる冊子を作成する場合に、１枚の単位用紙を除去する等、それだけ材料及び作業上での無駄が生じる。
【０００８】
本発明は、このような事情に鑑みてなされたものであり、奇数頁、偶数頁又はこれらが混在する頁数の冊子を効率よく作成することができるとともに、ランダム製本も可能な冊子作成方法及び冊子作成装置を提供することを目的とする。
【課題を解決するための手段】
【０００９】
前記の目的を達成するため、請求項１に係る発明では、帯状紙材にミシン目状の横切取線及び中央縦切取線を施して前記帯状紙材に横２列かつ縦多数列の単位用紙を形成した一次用紙を、前記中央縦切取線から２分割して二次用紙とする中央切断工程と、２分割された前記二次用紙を上下に重ね合せるとともに当該二次用紙の先端位置を縦方向に一定距離シフトして、前記各単位用紙の位置が前後にずれる状態とするシフト工程と、前記二次用紙を前記単位用紙の上下のものが順次に前進するように送り出す順送り工程と、順送りされる前記各二次用紙の進行方向最先端に位置する単位用紙毎に前方張力を与え、当該単位用紙を前記横切取線から順次に切断して送り出す横切断工程と、前記単位用紙の所定位置に設定枚数毎に糊引をする糊引工程と、糊引された前記単位用紙を順次に重合させて設定枚数毎に接着することにより冊子を形成する冊子形成工程と、を備えることを特徴とする冊子作成方法を提供する。
【００１０】
請求項２に係る発明では、帯状紙材にミシン目状の横切取線、中央縦切取線及び両側縦切取線を施して前記帯状紙材に横２列かつ縦多数列の単位用紙と両縁マージナルとを形成した一次用紙を、前記中央縦切取線から２分割して二次用紙とする中央切断工程と、２分割された前記各二次用紙を上下に重ね合せるとともに当該二次用紙の先端位置を縦方向に一定距離シフトし、前記各単位用紙の位置が前後にずれる状態として、前記各二次用紙をピントラクタにセットするシフト工程と、前記ピントラクタの回転により前記二次用紙を前記単位用紙の上下のものが順次に前進するように送り出す順送り工程と、前記二次用紙から前記マージナルを切断除去するマージナル除去工程と、前記マージナルが除去されて順送りされる前記二次用紙の進行方向最先端に位置する単位用紙毎に高速送り機構により前方張力を与え、当該単位用紙を前記横切取線から順次に切断して送り出す横切断工程と、切断により独立した前記各単位用紙を当該単位用紙毎にさらに高速送りを与えて前後の各単位用紙間に一定の間隔を設定する間隔設定工程と、前記単位用紙の所定位置に設定枚数毎に糊引をする糊引工程と、糊引された前記単位用紙を順次に重合させて設定枚数毎に接着することにより冊子を形成する冊子形成工程と、を備えることを特徴とする冊子作成方法を提供する。
【００１１】
請求項３に係る発明では、前記単位用紙に個性表示を施しておき、前記工程群の中から選定した１又は２以上の位置で前記個性表示を光学的観察手段により観察して、前記単位用紙の送り順位の監視、前記単位用紙の糊引設定、及び作成される冊子の頁丁合の少なくともいずれか１の監視を行う冊子作成方法を提供する。
【００１２】
請求項４に係る発明では、帯状紙材にミシン目状の横切取線、中央縦切取線及び両側縦切取線を施して前記帯状紙材に横２列かつ縦多数列の単位用紙と両縁マージナルとを形成した一次用紙を連続的に繰出しながら、用紙分割、重合、マージナル除去、糊引及び、接着を行って冊子を連続的に作成する冊子作成装置であって、前記中央縦切取線から２分割した前記二次用紙を上下に重ね合せるとともに当該二次用紙の先端位置を縦方向に一定距離シフトして前記各単位用紙の位置が前後にずれる状態で前記各二次用紙をシフトセットし得るとともに前記二次用紙を前記単位用紙の上下のものが順次に前進するように順送りするピントラクタ式の順送り機構と、前記二次用紙から前記マージナルを切断除去するマージナル除去機構と、前記マージナルが除去されて順送りされる前記二次用紙の進行方向最先端に位置する単位用紙毎に前方張力を与え、当該単位用紙を前記横切取線から順次に切断して送り出す横切断機構と、切断により独立した前記各単位用紙を当該単位用紙毎にさらに高速送りを与えて前後の各単位用紙間に一定の間隔を設定する間隔設定機構と、前記単位用紙の所定位置に設定枚数毎に糊引をする糊引機構と、糊引された前記単位用紙を順次に重合させて設定枚数毎の接着複数頁の冊子にする冊子形成機構とを備えることを特徴とする冊子作成装置を提供する。
【００１３】
請求項５に係る発明では、前記一次用紙における特定の、又は全ての単位用紙のいずれかの部位に施された個性表示と、前記順送り機構乃至前記糊引機構の前段又は後段における少なくともいずれかの部位に設けられ、前記個性表示を読取る光学的観察機構３３と、この光学的観察機構３３からの情報に基づいて前記冊子の製本状態を監視する監視手段とを備えた冊子作成装置を提供する。
【００１４】
請求項６に係る発明では、前記間隔設定機構の後段に、不要な単位用紙を排出する用紙排出機構を備えた冊子作成装置を提供する。
【発明の効果】
【００１５】
本発明によれば、一次用紙の切断及び二次用紙を切断し、単位用紙を１枚ずつ順次に独立して送るようにし、１枚ごとに糊引及び接着することにより、奇数頁、偶数頁又はこれらが混在する頁数の冊子であっても連続的に作成することができ、しかも冊子作成を効率よく行うことができる。同様に、ランダム製本も可能となる。
【発明を実施するための最良の形態】
【００１６】
以下、本発明に係る冊子作成方法及び冊子作成装置の一実施形態について、図面を参照して説明する。図１は、本発明の一実施形態による冊子作成装置の構成を示す全体構成図である。図２は、帯状の一次用紙から二次用紙に分割され、その後単独の単位用紙として送給される様子を示す作用説明図である。図３及び図４は、ピントラクタ式の順送り機構を示す説明図である。図５は、単位用紙を示す斜視図である。
【００１７】
なお、以下の説明では簡便化のため、表紙を含めて単位用紙が３枚（３頁）の冊子（奇数）を作成する場合を例として説明する。但し、本発明では、これに限らず、他の奇数、偶数、それらを混合した頁数の冊子を作成する場合にも適用できることは勿論である。
【００１８】
図２に示すように、一次用紙１は、帯状紙材にミシン目状の横切取線２、中央縦切取線３及び両側縦切取線４を施して帯状紙材に横２列かつ縦多数列の単位用紙５と両縁マージナル６とを形成したものが適用される。
【００１９】
即ち、横切取線２は一次用紙１の長さ方向に一定の間隔で幅方向に横断するミシン目として多数形成されており、これらの横切取線２間の寸法が、本実施形態の冊子となる単位用紙５の天地高さとなる。また、中央縦切取線３は一次用紙１の幅方向の中心位置に長さ方向全体に亘ってミシン目状に形成され、横２列に並列する単位用紙５の幅方向区分用センタラインとなる。両縁マージナル６は中央縦切取線３と平行に一次用紙１の幅方向両縁部にミシン目状の両側縦切取線４によって区画された細帯状部分であり、このマージナル６の幅方向中心位置には、後述するピントラクタのピンに挿入されて用紙送り用のガイドとなる複数のピンホール７が、一次用紙１の長さ方向に一定の間隔をあけて左右対称配置で穿設されている。
【００２０】
なお、一次用紙１に形成される横２列の単位用紙５について説明する。本実施形態では、一次用紙１に形成される単位用紙５を全て使用して３枚綴りの冊子を作成する。例えば、図２及び図３に示すように、一つの一次用紙１には、第１頁（丸数字１）と第２頁（丸数字２）とが初めに横２列の配置で隣接した単位用紙５となり、次の横２列の単位用紙５においては、第３頁（丸数字３）と、別の冊子の第１頁（丸数字１）とが横２列の配置で隣接する。さらに、その次の横２列の単位用紙５においては、第２頁（丸数字２）と第３頁（丸数字３）が隣接する。このように、奇数枚の単位用紙５からなる冊子を作成する場合、本実施形態では、各頁の配列が順次に変化するものを使用し、全ての単位用紙５を無駄なく使用する。
【００２１】
次に、図１により、本実施形態の冊子作成装置１０の構成及び作用を説明する。この冊子作成装置１０は大別して、一次用紙１を搭載して繰出すための給紙装置１１と、この給紙装置１１から繰出された一次用紙１を冊子として形成する装置本体１２とを備えている。
【００２２】
給紙装置１１は、折り畳み状態の一次用紙１を載置する載置台１３と、この載置台１３の上方に設けられた縦切断装置としてのインタースリッタ１４とを備えている。インタースリッタ１４は、折り畳み状態の一次用紙１を引上げて横向きにガイドするガイドローラ１５と、このガイドローラ１５によって送り出される一次用紙１の中央縦切取線３部分を上方から加圧して分断する加圧機構１６とを有している。
【００２３】
このインタースリッタ１４から排出される用紙は、一次用紙１の中央縦切取線３に沿って幅方向に等分された二次用紙８となる。このように、一次用紙１が中央縦切取線３から２分割され、二次用紙８として、装置本体１２に上下に分けて送られる。
【００２４】
装置本体１２は、図１に示すように、二次用紙８の受け入れ側から排出側に向って順次に、用紙分割、重合、マージナル除去、糊引及び、接着を行って冊子を連続的に作成する機構が配置されている。
【００２５】
まず、装置本体１２の入口部１８には、上下に分かれた１対の帯状の二次用紙８を単位用紙５の上下のものが順次に前進するように順送りするピントラクタ式の順送り機構１９が設けられている。この順送り機構１９は、図３及び図４に示すように、トラクタ２０の両側部に回転方向に沿って等ピッチでピン２１を配置したものである。図３及び図４の例では、一方の二次用紙８（８ａ）を上側に配置し、他方の二次用紙８（８ｂ）を下側に配置した状態を示している。この状態で、上側に配置される一方の二次用紙８（８ａ）に対し、下側に配置される他方の二次用紙８（８ｂ）は、所定距離（シフト量Ｓ）、例えば単位用紙５の天地寸法の約１／２だけ、進行方向後側にシフトして配置される。具体例を示すと、天地寸法が４インチの単位用紙５の場合、シフト量Ｓは、２インチとする。
【００２６】
図３及び図４では、このようなシフト位置におけるピン２１とピンホール７との係合状態を、符号ａ１〜ａ６及びｂ１〜ｂ６、ならびにピンホール７の符号７ａ１〜７ａ６及び７ｂ１〜７ｂ６として示している。
【００２７】
このように、本実施形態では、中央縦切取線３から２分割した二次用紙８を上下に重ね合せるとともに、この二次用紙８の先端位置を縦方向に一定距離シフトして各単位用紙５の位置が前後にずれる状態で各二次用紙８をシフトセットする。これにより、二次用紙８における単位用紙５の上下のものが順次に前進するようにする。
【００２８】
そして、本実施形態では、順送り機構１９の次段に、二次用紙８からマージナル６を切断除去するマージナル除去機構２２を備えている。このマージナル除去機構２２は、前進する二次用紙８の両側縦切取線４部位を上方から押圧するスリッタと、このスリッタの押圧力により両側縦切取線４から切断されたマージナル６（図２参照）を収容するマージナルボックス２３とを有し、前進する二次用紙８の進行とともにマージナル６を切断除去、収容するようになっている。
【００２９】
次に、単位用紙５を横切取線２から順次に切断して送り出す横切断機構２４が設けられている。この横切断機構２４は、マージナル６が除去されて順送りされる二次用紙８の進行方向最先端位置で、単位用紙５毎に前方張力を与え、単位用紙５を横切取線２から順次に切断して送り出す機能を有する。即ち、この横切断機構２４は、二次用紙８に一定速度の送り作用を与えるインフィードローラ２５と、インフィードローラ２５の前方に配置されて二次用紙８を上方から押圧するブレード２６と、このブレード２６の前方に配置されてインフィードローラ２５よりも高速で紙送りする第１高速送り機構（第１ファーストローラ）２７とにより構成されている。即ち、インフィードローラ２５と第１ファーストローラ２７との回転差により二次用紙８の縦方向に張力を与えるとともに、張力が与えられた部分にブレード２６による上方からの加圧力を加えて二次用紙８を横切取線２から切断する。
【００３０】
この切断作用においては、上下に重合した単位用紙５の先端位置が上述のようにシフトされているので、例えば前方シフト位置にある上側の単位用紙５が切断された後、後方シフトされている下側の単位用紙５が切断され、その次に上側の単位用紙５が切断されるというように、１枚毎に切断が行われる。そして、切断された各単位用紙５が独立した用紙となって、それぞれ順次に前進してゆく。
【００３１】
横切断機構２４の前方には、切断により独立した各単位用紙５を単位用紙５毎に、さらに高速送りを与えて、前後の各単位用紙５間に一定の間隔を設定する間隔設定機構２８が設けられている。この間隔設定機構２８は、第１高速送り機構２７から一定距離前方に配置された例えば回転ローラ２９とベルト３０とからなる第２高速送り機構（ローラのみでもよい。）３１として構成されている。即ち、１枚の単位用紙５が第１高速送り機構２７により送られている時に、先に排出された先の単位用紙５が瞬時に第２高速送り機構３１により高速送給される。この高速送給によって、前後の単位用紙５に所定の間隔（隙間）が形成され、前後の単位用紙５が重なることが確実に防止される。図２には、この用紙送りの様子が具体的に示されている。
【００３２】
第２高速送り機構３１の上方部位には、一次用紙１における特定の、又は全ての単位用紙５のいずれかの部位に施された個性表示３２を読取る第１の光学的観察機構３３が設けられている。
【００３３】
図５は、この一次用紙１に施される個性表示３２の位置及び形状等を例示している。即ち、一次用紙１の表面の天地部分又は側部に、例えばバーコードその他の個性表示３２が形成されている。光学的観察機構３３は、例えばバーコードリーダ（ＢＣＲ）又はＣＣＤカメラ等とされている。この光学的観察機構３３により、例えば表紙となる単位用紙５又は全ての単位用紙５の個性表示３２が読み取られ、単位用紙５の送り順に関する情報が取得、蓄積される。この情報により、連番チェック等も可能となる。本実施形態では、これらの情報について、後述する第２の光学的観察機構３３によって照合、確認等が行われる。
【００３４】
光学的観察機構３３の近傍、即ち間隔設定機構２８の後段には、不要な単位用紙５を排出する用紙排出機構３４が設けられている。この用紙排出機構３４は、開閉可能な用紙導入部３５と、導入した用紙を収容するダイバータボックス３６とを備えた構成とされている。この用紙排出機構３４は、例えば、枚数の異なる冊子を連続して作成するランダム製本等を行う場合（一例として、４枚綴りの製本と５枚綴りの製本とを同時に行う際に、４枚綴りの単位用紙５の１枚を排出するような場合）に適用される。なお、この際には上記の光学的観察機構３３の併用も可能である。
【００３５】
光学的観察機構３３の前方には、単位用紙５の所定位置に設定枚数毎に糊引をする糊引機構３７が設けられている。この糊引機構３７は、例えば液状の糊を噴射するアプリケーションノズルとして構成されている。
【００３６】
そして、糊引機構３７のさらに前方には、糊引された単位用紙５を順次に重合させて設定枚数毎の接着複数頁の冊子にする冊子形成機構３８が設けられている。この冊子形成機構３８は、例えば下端開口のジョガー部として構成されており、糊引された単位用紙５が先頭頁の下へ、下へと順次に送り込まれ、積上げられてゆき、自動的に１冊毎の製本が行われるようになっている。
【００３７】
ジョガー部の上方には、回転ローラ等からなる冊子排出装置３９が設けられ、ジョガー部で製本された冊子４０が一定の高さまで積み上がると、この冊子排出装置３９によって冊子が順に１冊ずつ順次に排出され、ベルトコンベア４１上にスタックされるようになっている。
【００３８】
冊子排出装置３９の近傍には、第２の光学的観察機構４２が設けられている。この光学的観察機構４２は、第１の光学的観察機構３３と同様に、バーコードリーダ（ＢＣＲ）又はＣＣＤカメラ等により構成されている。そして、この第２の光学的観察機構４２により例えば各冊子４０の表紙が読取られ、この情報により、前述した第１の光学的観察機構３３により取込まれたデータとの照合、確認等が行われる。これにより、製本の頁ずれ等が無いことをチェックすることができる。このチェックは、常時連続して行え、ログ管理可能となる。
【００３９】
以上のように、本実施形態においては、帯状紙材にミシン目状の横切取線２、中央縦切取線３及び両側縦切取線４を施して帯状紙材に横２列かつ縦多数列の単位用紙５と両縁マージナル６とを形成した一次用紙１を、中央縦切取線３から２分割して二次用紙８とし、２分割された各二次用紙８を上下に重ね合せるとともに二次用紙８の先端位置を縦方向に一定距離シフトし、各単位用紙５の位置が前後にずれる状態として、各二次用紙８をピントラクタにセットする。
【００４０】
そして、ピントラクタの回転により二次用紙８を単位用紙５の上下のものが順次に前進するように送り出し、二次用紙８からマージナル６を切断除去する。
【００４１】
この後、マージナル６が除去されて順送りされる二次用紙８の進行方向最先端に位置する単位用紙５毎に高速送り機構により前方張力を与えて単位用紙５を横切取線２から順次に切断して送り出す。そして、切断により独立した各単位用紙５を単位用紙５毎にさらに高速送りを与えて前後の各単位用紙５間に一定の間隔を設定し、その後単位用紙５の所定位置に設定枚数毎に糊引をする。糊引された単位用紙５は順次に重合され、設定枚数毎に接着されて冊子として形成される。
【００４２】
したがって、本実施形態によれば、横２列の単位用紙５を含む一次用紙１を使用して、単位用紙５を１枚ずつ順次に独立して送るようにし、１枚ごとに糊引及び接着することにより、奇数頁の製本を行うことが容易かつ確実に、能率よく、しかも無駄なく行える。これにより、従来のように奇数頁の冊子を連続的に作成する場合に偶数枚の単位用紙５をもつ一次用紙１で偶数頁の冊子を作り、余分な頁を除去するような経済性低下を招くこともなく、また余分な工程が生じることもなく、冊子作成上の能率向上を図ることができ、高機能を発揮する。
【００４３】
また、本実施形態によれば、一次用紙１における各冊子を構成する単位用紙５を、偶数枚、奇数枚又はこれらが混在するものとして設定することにより、偶数頁、奇数頁又はこれらが混在する頁数の冊子についても連続的に作成することができる。
【００４４】
さらに、従来の技術では、例えば１冊目が３枚綴り、２冊目が５枚綴りというような頁数の異なる冊子を連続的に作成するランダム製本をすることができないのに対し、本実施形態によれば、ランダム製本も可能となり、一層の高機能化が図れるとともに、従来における枚数が異なる冊子を作成する場合の単位用紙５を除去等の材料及び作業上での無駄の発生を防止することができる。
【図面の簡単な説明】
【００４５】
【図１】本発明の一実施形態による冊子作成装置の構成を示す全体構成図。
【図２】本発明の一実施形態による冊子作成方法を示す作用説明図。
【図３】本発明の一実施形態による順送り機構を示す斜視説明図。
【図４】本発明の一実施形態による順送り機構を示す断面図。
【図５】本発明の一実施形態による単位用紙を示す拡大斜視図。
【符号の説明】
【００４６】
１  一次用紙
２  横切取線
３  中央縦切取線
４  両側縦切取線
５  単位用紙
６  マージナル
７  ピンホール
８  二次用紙
１０  冊子作成装置
１１  給紙装置
１２  装置本体
１３  載置台
１４  インタースリッタ
１５  ガイドローラ
１６  加圧機構
１８  入口部
１９  順送り機構
２０  トラクタ
２１  ピン
２２  マージナル除去機構
２３  マージナルボックス
２４  横切断機構
２５  インフィードローラ
２６  ブレード
２７  第１高速送り機構
２８  間隔設定機構
２９  回転ローラ
３０  ベルト
３１  第２高速送り機構
３２  個性表示
３３  光学的観察機構
３４  用紙排出機構
３５  用紙導入部
３６  ダイバータボックス
３７  糊引機構
３８  冊子形成機構
３９  冊子排出装置
４０  冊子
４１  ベルトコンベア
４２  光学的観察機構
【図１】
2006321148.tif 000003
【図２】
2006321148.tif 000004
【図３】
2006321148.tif 000005
【図４】
2006321148.tif 000006
【図５】
2006321148.tif 000007